(57)【要約】【課題】各球通路を流下する遊技球の球詰まりを防止するようにした弾球遊技機のタンクレールを提供する。【解決手段】球タンク５の下方に配設され上面が開口すると共に仕切壁９を挟んで並設される球通路１０，１１を有したタンクレール６であって、前記仕切壁９の上流端側の上端縁９ａをその長手方向に沿った一定範囲Ｌに亘り球通路１０，１１の底壁１２からの高さが下流端側に向かって漸次高くなるように傾斜ａさせ、その傾斜する上端縁部の片面のみに該上端縁部が上方へ進むに従い漸次薄くなるテーパー面２４を設けかつ該テーパー面２４の上端縁９ａを仕切壁９の厚み幅方向の中間位置よりテーパー面２４の傾斜方向側へずらせた構成からなる。【選択図】図２
2006158527.tif 000002
【特許請求の範囲】
【請求項１】
球タンクの下方に配設され上面が開口すると共に仕切壁を挟んで並設される球通路を有したタンクレールであって、
前記仕切壁の上流端側の上端縁をその長手方向に沿った一定範囲に亘り球通路の底壁からの高さが下流端側に向かって漸次高くなるように傾斜させ、その傾斜する上端縁部の片面のみに該上端縁部が上方へ進むに従い漸次薄くなるテーパー面を設けかつ該テーパー面の上端縁を前記仕切壁の厚み幅方向の中間位置より該テーパー面の傾斜方向側へずらせたことを特徴とする弾球遊技機のタンクレール。
【発明の詳細な説明】
【技術分野】
【０００１】
この発明は、弾球遊技機裏側の機構板に装着した球タンクの下方に配設され、該球タンクの遊技球を下方の球払出装置へ供給するためのタンクレールに関するものである。
【背景技術】
【０００２】
従来、例えば、弾球遊技機の一種であるパチンコ遊技機は、内枠裏側の機構板に遊技球を貯留する球タンクが配設され、その下方に該球タンクからの遊技球を球払出装置へ供給するためのタンクレールが配設されている。該タンクレールは、上面が開口すると共に仕切壁を挟んで併設される２条の球通路を有している。該仕切壁は、上流端側の上端縁をその長手方向に沿った一定範囲に亘り球通路の底壁からの高さが下流端側に向かって漸次高くなるように上向傾斜させてある（例えば、特許文献１参照。）。
【特許文献１】特開２００４−６５５８３号公報（第３頁段落００１４、図２）
【発明の開示】
【発明が解決しようとする課題】
【０００３】
しかしながら、前記球通路の底壁からの高さが下流端側へ向かって漸次高くなるように傾斜した部分の仕切壁の上端面は、一定の厚み幅を有ししかも平坦面に成形されている。そこで、例えば、図７に示すように前記タンクレールＴの仕切壁ａの上端面ｂに遊技球Ｂ１が乗った状態で、両球通路ｃ，ｃを流下する遊技球Ｂ２，Ｂ２が共に前記仕切壁ａの上端面ｂに乗った遊技球Ｂ１に当接しかつ球通路ｃ，ｃの内側面ｄ，ｄに規制され、中央の１個の遊技球Ｂ１と両側の２個の遊技球Ｂ２，Ｂ２とが互いに干渉して均衡が保たれてしまい、これら遊技球Ｂ１，Ｂ２，Ｂ２が動かなくなってしまうことがある。
【０００４】
このような状態は、各球通路ｃ，ｃの通路幅が遊技球Ｂ２の直径寸法より僅かに広い程度であって、また、前記仕切壁ａの傾斜する部位の上端面ｂが下流端側に向かって上向傾斜してることに起因すると思われるが、いずれにしても、その部位で球詰まりを起すという課題があった。
【０００５】
そこで、本発明は上記課題を解決すべくなされたもので、タンクレールの各球通路を流下する遊技球の球詰まりを防止するようにした弾球遊技機のタンクレールを提供することを目的とするものである。
【課題を解決するための手段】
【０００６】
かかる目的を達成するため本発明に係る弾球遊技機のタンクレールは、球タンクの下方に配設され上面が開口すると共に仕切壁を挟んで並設される球通路を有したタンクレールであって、前記仕切壁の上流端側の上端縁をその長手方向に沿った一定範囲に亘り球通路の底壁からの高さが下流端側に向かって漸次高くなるように傾斜させ、その傾斜する上端縁部の片面のみに該上端縁部が上方へ進むに従い漸次薄くなるテーパー面を設けかつ該テーパー面の上端縁を前記仕切壁の厚み幅方向の中間位置よりテーパー面の傾斜方向側へずらせた構成からなる。
【発明の効果】
【０００７】
本発明に係る弾球遊技機のタンクレールは、仕切壁の上流端側の上端縁をその長手方向に沿った一定範囲に亘り球通路の底壁からの高さが下流端側に向かって漸次高くなるように傾斜させ、その傾斜する上端縁部の片面のみに該上端縁部が上方へ進む従い漸次薄くなるテーパー面を設けかつ該テーパー面の上端縁を前記仕切壁の厚み幅方向の中間位置より該テーパー面の傾斜方向側へずらせたので、両球通路の中間位置にあって仕切壁の上に乗ろうとする遊技球は、バランスを崩してテーパー面を設けた側へ転動することになる。よって、球詰まりが起こることを防止することができるという有益な効果を奏する。
【発明を実施するための最良の形態】
【０００８】
以下、本発明に係る弾球遊技機のタンクレールの実施の形態を図面に基づき説明する。なお、弾球遊技機には、例えば、パチンコ遊技機、アレンジボール機または雀球遊技機があるが、本発明にあっては、その一例としてパチンコ遊技機について説明する。図１は本発明が適用されるパチンコ遊技機の裏面図、図２は表側から見たタンクレールの斜視図、図３はタンクレールの分解斜視図である。
【０００９】
パチンコ遊技機Ａは、外側に機枠１を有し、その前面に内枠２が開閉自在に装着され、該内枠２に遊技盤３が装着される。図示は省略するが、該内枠２の前面には、前記遊技盤３の前面を覆う透明板保持枠、打球発射部へ供給されるパチンコ球を貯留するための上球皿が装着された前面板、上球皿から溢れたパチンコ球を貯留する下球皿がそれぞれ装着される。
【００１０】
一方、内枠２の後側には遊技盤３を覆うように合成樹脂製の機構板４が開閉自在に装着される。機構板４の上部にパチンコ遊技機Ａの外側から遊技球であるパチンコ球が供給される球タンク５が配設され、その下方に該球タンク５からのパチンコ球を下方の球払出装置７へ供給する合成樹脂製のタンクレール６が配設されている。前記球払出装置７から払い出されたパチンコ球はその下流の球排出通路８を介して前記上球皿に排出されることになる。
【００１１】
タンクレール６は、図４、図５に示すように一側である球タンク５の球落口５ａ側が高く他側が低くなるようにして機構板４に装着され、上面が開口すると共に中央の仕切壁９を挟んで前後２条の球通路１０，１１が成形される。各球通路１０，１１はパチンコ球の直径寸法より僅かに広い通路幅を有する。各球通路１０，１１の底壁１２の下流端には、球払出装置７へパチンコ球を供給するための供給通路１３と連通する排出口１４，１４が開設されている。
【００１２】
また、仕切壁９の下端部とタンクレール６の後壁１５の下端部に対向位置して上方へ突出する支持片１６ａ，１６ｂが一体に設けられ、仕切壁９側の支持片１６ａに貫通孔１７が貫設される。また、後壁１５側の支持片１６ｂに前記貫通孔１７と同一軸線上に位置して該貫通孔１７より小径の支持孔１８が開設されている。これに対し、機構板４側にはその後面に、先端に小径部１９ａが同一軸線上に突設された支軸１９が突設され、前記支持孔１８に小径部１９ａが挿通され、貫通孔１７に支軸１９が挿通されることになる。
【００１３】
そして、前記支軸１９に球整流部材２０と、球止部材２１が軸着される。球整流部材２０は、各球通路１０，１１内を流下するパチンコ球を整流するためのもので、図３に示すように前記支軸１９が挿通される２個の軸着部２０ａ，２０ａと該各軸着部２０ａから前記各球通路１０，１１の上流側の上縁に沿って延設されかつその先端部に進むに従い漸次上方へ反るように成形される２本の球整流部２０ｂ，２０ｂとからなる。両球整流部２０ｂ，２０ｂにおける各先端部は横杆部２０ｃにより連結されている。しかも、両軸着部２０ａ，２０ａから両球整流部２０ｂ，２０ｂに至るまですべて、前記横杆部２０ｃを含め一本の硬質金属線材を屈曲して連続状かつ一体に成形される。
【００１４】
すなわち、タンクレール６が２条の球通路１０，１１を有するので、各球通路１０，１１に対応させてそれぞれ二本の球整流部２０ｂ，２０ｂが設けられ、その基端側は互いに上方へ反るように湾曲させて軸着部２０ａ，２０ａが成形される。また、前記２本の球整流部２０ｂ，２０ｂの先端部を連結する横杆部２０ｃは、後記するように仕切壁９の下流側の上端縁から上方へ突出する受止片２２の上端面に乗り受け止められるようになっている。前記硬質金属線材の全外周面にはナイロンコーティングといった樹脂被覆ｐがされている。
【００１５】
球止部材２１は、合成樹脂製からなり、基板２１ａの基端部に支軸１９が挿通される一対の挿通環２１ｄ，２１ｄが同一軸線上に設けられ、基板２１ａの先端側の裏面に前記各球通路１０，１１内に介入し得る一対の球止片２１ｂ，２１ｂが突設されている。また、基板２１ａの後端縁に手で操作するための操作片２１ｃが突設される。
【００１６】
タンクレール６を機構板４に取付けるには、球整流部材２０の両軸着部２０ａ，２０ａ間に球止部材２１の両挿通環２１ｄ，２１ｄを介装し、更に、両挿通環２１ｄ，２１ｄ間に仕切壁９の支持片１６ａを介入する。この状態で、タンクレール６を機構板４の所定位置に配設し、支軸１９を軸着部２０ａ、挿通環２１ｄ、貫通孔１７、挿通環２１ｄ、軸着部２０ａの順に挿通し、支軸１９先端の小径部１９ａを支持孔１８に挿通する。
【００１７】
これにより、球整流部材２０が支軸１９を中心として上下に自在に揺動するようになり、各球整流部２０ｂが各球通路１０，１１の上縁に沿ってその通路幅の中央の上方部位に位置する。また、両球整流部２０ｂ，２０ｂ先端部を接続する横杆部２０ｃが、仕切壁９の所定位置に設けられ上方へ突出する受止片２２の上面に受け止められて静止することになる。
【００１８】
球整流部材２０は、各球通路１０，１１内のパチンコ球を整流するため所定の重量を有する。そして、図４に示すように各球通路１０，１１内を２段、３段と重なって流下するパチンコ球を１段に整流して、これらパチンコ球を球詰まりを起すことなく排出口１４へ導くようにしている。
【００１９】
また、前記球止部材２１は、常態では支軸１９を中心として上方へ回動させた位置に停止させてある。そこで、例えば、遊戯中に球払出装置７が故障し該球払出装置７を点検する場合、タンクレール６内に滞留するパチンコ球が排出口１４から流出しないようにするため、操作片２１ｃを摘んで下方へ回動させる。これにより、図４に示すように各球止片２１ｂ，２１ｂが各球通路１０，１１内に介入し、それら球通路１０，１１の通路幅を狭めてパチンコ球が流下するのを止める。球払出装置７の点検が終了すれば、再び球止部材２１を上方へ回動させておく。
【００２０】
このように、タンクレールの球整流部材２０は、軸着部２０ａから球整流部２０ｂに至るまですべて一本の硬質金属線材を屈曲して連続状かつ一体に成形するようにしたので、金型が不要となり、成形が簡単であって製作コストが抑えられる。また、球整流部材２０は一部品からなることから組み付けや在庫管理も容易となり、しかも、頑強であって経年変化に優れ破損することもほとんどない。
【００２１】
また、各球通路１０，１１に対応する各球整流部２０ｂの各先端部を連結する横杆部２０ｃが仕切壁９の上端縁から上方へ突出する受止片２２の上端面に受け止められるので、常態では、球整流部材２０が安定して設置でき、誤動作を起すことなくパチンコ球の整流動作が正確に行なえる。更に、球整流部材２０は、硬質金属線材の全外周面が樹脂被覆されているので、その外周面の錆の発生が抑えられると共に耐磨耗性にも優れ、常に、確実な作動が可能となる。
【００２２】
本発明に係るタンクレール６の仕切壁９は、図２に示すように上端縁の上流端が底壁１２面に接しており、該接点である上流端から上端縁９ａをその長手方向に沿って一定範囲Ｌに亘り球通路１０，１１の底壁１２からの高さが下流端側に向かって漸次高くなるように傾斜ａさせている。そして、その傾斜ａする上端縁部の片面のみに該上端縁部が上方へ進むに従い漸次薄くなりかつその上端縁９ａが尖鋭となるようなテーパー面２４が設けられている。なお、この場合、仕切壁９の上端の厚み幅方向の断面輪郭が尖った形状になるが、これ以外に、例えば弧状又は多角形状に成形されていても良い。
【００２３】
前記傾斜ａされる上端縁９ａの一定範囲Ｌは、例えば、球タンク５の球出口５ａの下方を含めて仕切壁９の長手方向のほぼ三分の１の長さが選ばれる。また、前記仕切壁９の上端縁部に設けられたテーパー面２４は、どちらの面に設けても良い。いずれにしても、テーパー面２４の上端縁９ａが仕切壁９の厚み幅方向の中間位置より該テーパー面２４の傾斜方向側へずらせておく必要がある。これにより、積み重ねられるパチンコ球のバランスを崩すことができる。
【００２４】
球タンク５の球出口５ａから排出される多くのパチンコ球は、タンクレール６の上流端側の各球通路１０，１１内に落下し、２重、３重と積み重なるようにして下流端側へ流下する。そこで、仕切壁９のテーパー面２４の上端縁９ａは仕切壁９の厚み幅方向の中間位置よりテーパー面２４の傾斜方向側（この場合、裏側）にずれている。よって、図６に示すように仕切壁９の上に乗ろうとする遊技球Ｂ３は、バランスを崩してテーパー面２４を設けた側へ転動することになり、例えば、前記パチンコ球Ｂ３と各球通路１０，１１内のパチンコ球Ｂ４，Ｂ４との間で互いに緩衝して釣合ってしまうといった事態を回避できる。これにより、球詰まりが起こることを防止することができる。
【００２５】
本実施の形態では、球通路が２条である場合のタンクレールについて説明したが、例えば、球通路を３条又は４条有するタンクレールについても適用できること勿論である。
【図面の簡単な説明】
【００２６】
【図１】本発明が適用されるパチンコ遊技機の裏面図。
【図２】表側から見たタンクレールの斜視図。
【図３】タンクレールの分解斜視図。
【図４】機構板に配設されたタンクレールの正面断面図。
【図５】同平面図。
【図６】図５のＸ−Ｘ線断面図。
【図７】従来のもので作用を示すタンクレール側面断面図。
【符号の説明】
【００２７】
５                      球タンク
６                      タンクレール
９                      仕切壁
９ａ                    上端縁
１０                    球通路
１１                    球通路
１２                    底壁
２４                    テーパー面
Ａ                      弾球遊技機（パチンコ遊技機）
ａ                      傾斜
Ｂ３                    遊技球（パチンコ球）
Ｂ４                    遊技球（パチンコ球）
Ｌ                      一定範囲
【図１】
2006158527.tif 000003
【図２】
2006158527.tif 000004
【図３】
2006158527.tif 000005
【図４】
2006158527.tif 000006
【図５】
2006158527.tif 000007
【図６】
2006158527.tif 000008
【図７】
2006158527.tif 000009